(57)【要約】      （修正有）【課題】片手で操作でき、施術に便利で施術を正確に行なえる新たな選択のできる鍼灸用ニードル装置の提供。【解決手段】鍼灸用ニードルとスリーブを具え、該鍼灸用ニードルがスリーブ内に係止され、使用前にスリーブより鍼灸用ニードルが脱落せず、施術者が鍼灸用ニードルに適宜圧力を加えて係合設計の摩擦力を克服するだけで鍼灸用ニードルがスリーブ内より落下する。【選択図】図２
0003104559.tif 000002
【実用新案登録請求の範囲】
【請求項１】
内側に第１係止設計を具えたスリーブと、
ボデー部とハンドル部を具えた鍼灸用ニードルと、
を具えたことを特徴とする、鍼灸用ニードル装置。
【請求項２】
請求項１記載の鍼灸用ニードル装置において、ハンドル部に第２係止設計が設けられたことを特徴とする、鍼灸用ニードル装置。
【請求項３】
請求項２記載の鍼灸用ニードル装置において、第２係止設計がプラスチックで形成されたことを特徴とする、鍼灸用ニードル装置。
【請求項４】
請求項１記載の鍼灸用ニードル装置において、第１係止設計がスリーブ内側に設けられた少なくとも一つの凸点とされたことを特徴とする、鍼灸用ニードル装置。
【請求項５】
請求項１記載の鍼灸用ニードル装置において、第１係止設計がスリーブ内側に径方向に沿って内向きに突出するよう設けられた環状突起とされたことを特徴とする、鍼灸用ニードル装置。
【請求項６】
請求項１記載の鍼灸用ニードル装置において、第１係止設計がスリーブの開口端の口径縮小設計とされたことを特徴とする、鍼灸用ニードル装置。
【請求項７】
請求項２記載の鍼灸用ニードル装置において、第２係止設計が凹溝を具えたことを特徴とする、鍼灸用ニードル装置。
【請求項８】
内側に第１係止設計が設置されたスリーブと、
ボデー部とハンドル部及び該ハンドル部に設置された第２係止設計を具えた鍼灸用ニードルと、
を具えたことを特徴とする、鍼灸用ニードル装置。
【請求項９】
請求項８記載の鍼灸用ニードル装置において、第１係止設計がスリーブの開口端の口径縮小設計とされたことを特徴とする、鍼灸用ニードル装置。
【請求項１０】
請求項８記載の鍼灸用ニードル装置において、第２係止設計が凹溝を具えたことを特徴とする、鍼灸用ニードル装置。
【考案の詳細な説明】
【技術分野】
【０００１】
本考案は一種の鍼灸用ニードル装置に係り、特に、片手で操作でき、これにより鍼灸の施術過程を更に便利且つ正確とすることができる、鍼灸用ニードル装置に関する。
【背景技術】
【０００２】
近代医学の発展上、漢方は相当に重要な役割を演じている。欧米の研究者によると、漢方の多くの医療技術は相当に濃厚な神秘感と魅力を秘めている。鍼灸はそのうちの一種類である。漢方学上いわゆる鍼灸術は、施術者がニードルで患者のツボ（ａｃｕｐｕｎｃｔｕｒｅ  ｐｏｉｎｔ）を刺激することにより、ある種の治療効果を発揮する特殊な技術である。
【０００３】
早期の漢方医が鍼灸術を行なう時、多くは直接手指でニードルを患者の身体のツボに刺し、治療の効果を達成していた。しかし、現在の臨床実施方面では、漢方医が施術しやすいように、ほとんどが図１に示されるニードルアセンブリを使用して治療が行なわれている。上述のニードルアセンブリは鍼灸用ニードル１２０とスリーブ１４０で構成されている。スリーブの機能は施術者がニードルを打つ時に更に便利で正確とすることである。
【０００４】
周知の技術中、図１に示されるように、鍼灸用ニードル１２０はまずスリーブ１４０中に置かれ、且つスリーブ１４０の上端に係止されたピン１６０により、鍼灸用ニードル１２０のスリーブ１４０からの脱落が防止される。施術者が施術したい時、まず鍼灸用ニードル装置をツボに置き、上述のスリーブ１４０の下端を患者の皮膚に押し当てる。その後、一方の手で上述のスリーブ１４０を保持し、もう一方の手でピン１６０を抜き取り、鍼灸用ニードル１２０を落下させ、その後、更にニードルを弾く或いは押す手法により鍼灸用ニードル１２０を適宜深さに差し込む。この設計は施術者が施術位置を正確に掌握するのに便利であり、施術位置を誤る状況を発生しにくい。しかし、このような設計は施術者が施術時に両手を使用しなければ施術できず、施術者にとってはあまり便利な設計とは言えない。さらに重要なことは、施術者が一方の手でピン１６０を抜き取る時、スリーブ１４０を保持して鍼灸用ニードル１２０をツボ位置に案内するもう一方の手が注意力のピン１４０への転移によりぐらついたり移動して、施術者が正確なツボに施術できなくなることがある、ということである。このため鍼灸の結果の誤差が形成され、治療効果が下がったり、厳重な場合は患者に不良な後遺症をもたらす恐れがある。
【０００５】
このため、周知の技術による鍼灸用ニードル装置の欠点を鑑み、鍼灸術施行時の正確度を高め、且つ簡単に操作できる鍼灸用ニードル装置が求められている。
【考案の開示】
【考案が解決しようとする課題】
【０００６】
周知の鍼灸用ニードル装置の多くの欠点を鑑み、本考案はそれを改善した鍼灸用ニードル装置を提供することを目的とする。それは、係止設計により鍼灸用ニードルをスリーブ内に位置決めし、鍼灸治療の施術者による取り扱いに便利で、さらにこの設計により、施術者が片手で操作でき、施術過程での便利性を増し、大幅に施術者による施術過程での誤差の発生を防止できるものとする。
【０００７】
本考案の鍼灸用ニードル装置は、少なくとも鍼灸用ニードル、及び、スリーブを具えている。該スリーブは内側の第１係止設計を具えている。該鍼灸用ニードルはボデー部とハンドル部を具えている。該鍼灸用ニードル装置は更に第２係止設計を具え、それは上述のハンドル部に設置されうる。本考案の実施例によると、上述の第１係止設計と第２係止設計は相互に係合可能で、鍼灸用ニードルをスリーブ内の適宜位置に係止する。これにより、施術者が施術時に、片手でスリーブをツボに固定し、及び、鍼灸用ニードルを落下させる動作を片手で行なえる。これにより本考案の設計は鍼灸の施術過程に便利であり、施術者が施術過程で両手を共に使用することにより発生しうる施術誤差を防止できる。
【課題を解決するための手段】
【０００８】
請求項１の考案は、内側に第１係止設計を具えたスリーブと、
ボデー部とハンドル部を具えた鍼灸用ニードルと、
を具えたことを特徴とする、鍼灸用ニードル装置としている。
請求項２の考案は、請求項１記載の鍼灸用ニードル装置において、ハンドル部に第２係止設計が設けられたことを特徴とする、鍼灸用ニードル装置としている。
請求項３の考案は、請求項２記載の鍼灸用ニードル装置において、第２係止設計がプラスチックで形成されたことを特徴とする、鍼灸用ニードル装置としている。
請求項４の考案は、請求項１記載の鍼灸用ニードル装置において、第１係止設計がスリーブ内側に設けられた少なくとも一つの凸点とされたことを特徴とする、鍼灸用ニードル装置としている。
請求項５の考案は、請求項１記載の鍼灸用ニードル装置において、第１係止設計がスリーブ内側に径方向に沿って内向きに突出するよう設けられた環状突起とされたことを特徴とする、鍼灸用ニードル装置としている。
請求項６の考案は、請求項１記載の鍼灸用ニードル装置において、第１係止設計がスリーブの開口端の口径縮小設計とされたことを特徴とする、鍼灸用ニードル装置としている。
請求項７の考案は、請求項２記載の鍼灸用ニードル装置において、第２係止設計が凹溝を具えたことを特徴とする、鍼灸用ニードル装置としている。
請求項８の考案は、内側に第１係止設計が設置されたスリーブと、
ボデー部とハンドル部及び該ハンドル部に設置された第２係止設計を具えた鍼灸用ニードルと、
を具えたことを特徴とする、鍼灸用ニードル装置としている。
請求項９の考案は、請求項８記載の鍼灸用ニードル装置において、第１係止設計がスリーブの開口端の口径縮小設計とされたことを特徴とする、鍼灸用ニードル装置としている。
請求項１０の考案は、請求項８記載の鍼灸用ニードル装置において、第２係止設計が凹溝を具えたことを特徴とする、鍼灸用ニードル装置としている。
【考案の効果】
【０００９】
周知の技術の鍼灸用ニードル装置と較べると、本考案は鍼灸の施術者が片手で簡単に操作できる特徴を有している。この設計により、施術者は片手でスリーブを保持してその滑動を防止し、且つ同一の手の一本の指で軽く鍼灸用ニードルを押して第１係止設計と第２係止設計の間の摩擦力を克服すれば、鍼灸用ニードルが患者の被覆に落下し突き刺さる。即ち、鍼灸の施術者にとって本考案の設計は片手で操作でき、施術に便利で施術を正確に行なえる新たな選択を提供する。
【考案を実施するための最良の形態】
【００１０】
本考案の好ましい実施例は以下に詳細に説明される。しかし、本考案はこれ以外にも広くその他の実施例で実施可能であり、且つ以下の記載は本考案の実用新案登録請求の範囲を限定するものではない。
【００１１】
さらに、本考案の明細書中の各部品の異なる部分はサイズに合わせて描かれているものではない。そのサイズとその他の関係サイズと比較して誇張されており、これにより本考案の設計を分かりやすくしている。
【００１２】
図２は本考案の鍼灸用ニードル装置を示す。図２に示されるように、本考案の鍼灸用ニードル装置は少なくとも鍼灸用ニードル２２０とスリーブ２４０を具えている。該スリーブ２４０は更に第１係止設計２４２を具えている。該第１係止設計２４２はスリーブ２４０内の適宜位置に設けられる。上述の第１係止設計２４２はスリーブ２４０の内側に突出するように内周に沿って設けられた環状突起の設計とされるか、或いはスリーブ内の少なくとも一つの凸点の設計とされるか、或いはその他の周知の係止設計とされる。
【００１３】
上述の鍼灸用ニードル２２０は鍼灸用のボデー部２２２と針を捻るのに用いられるハンドル部２２４を具えている。該ボデー部２２２とハンドル部２２４の材質はいずれも金属とされうる。上述の鍼灸用ニードル装置は更に第２係止設計２６０を具えている。該第２係止設計２６０は上述の鍼灸用ニードル装置に設置可能である。該第２係止設計２６０は更に凹溝２６２を具え、これは図３に示されるとおりである。該第２係止設計２６０はプラスチック或いはその他の材料で形成される。図４に示されるように、該第２係止設計２６０の凹溝２６２は第１係止設計２４２の突起部と係合可能で、これにより鍼灸用ニードル２２０をスリーブ２４０内の適宜位置に係止する。本実施例によると、上述の第２係止設計２６０はハンドル部２２４の下縁に近い位置に設けられる。
【００１４】
本考案の別の実施例は図５に示され、それによると、鍼灸用ニードル装置は少なくとも鍼灸用ニードル３２０とスリーブ３４０を具えている。該スリーブ３４０は更に第１係止設計３４２を具えている。該第１係止設計３４２はスリーブ３４０の一端に設置される。該第１係止設計３４２はスリーブ３４０の一端にあってスリーブ３４０の管径より小さい口径の開口が形成された設計とされるか、或いはその他の周知の係止設計とされる。
【００１５】
本実施例の設計によると、鍼灸用ニードル３２０はボデー部３２２とハンドル部３２４を具えている。該ボデー部３２２とハンドル部３２４はいずれも金属で形成されうる。該鍼灸用ニードル装置は更に第２係止設計３６０を具えている。該第２係止設計３６０はプラスチック或いはその他の材料で形成される。該第２係止設計３６０は上述のハンドル部３２４に設置される。該第２係止設計３６０はさらに凹溝を具えている。本実施例の好ましい例としては、上述の第２係止設計３６０がハンドル部３２４の上縁近い位置に設置され、これは図５に示されるようである。該第２係止設計３６０の凹溝は第１係止設計３４２と係合可能で、これにより鍼灸用ニードル３２０をスリーブ３４０内の適当な位置に係止する。
【００１６】
本考案のさらにまた別の実施例は図６に示され、それによると、鍼灸用ニードル装置は少なくとも鍼灸用ニードル４２０とスリーブ４４０を具えている。該スリーブ４４０は更に第１係止設計４４２を具えている。該第１係止設計４４２はスリーブ４４０の一端に設置される。該第１係止設計４４２はスリーブ４４０の一端にあってスリーブ４４０の管径より小さい口径の開口が形成された設計とされるか、或いはその他の周知の係止設計とされる。
【００１７】
本実施例の設計によると、鍼灸用ニードル４２０はボデー部４２２とハンドル部４２４を具えている。該ボデー部４２２とハンドル部４２４はいずれもプラスチック、或いはその他の材料で形成されうる。該ハンドル部４２４は第２係止設計４２６を具えている。該第２係止設計４２６は少なくとも凹溝設計を具えている。図６に示されるように、第１係止設計４４２は第２係止設計４２６の凹溝と係合可能で、これにより鍼灸用ニードル４２０をスリーブ４４０内の適当な位置に係止する。
【００１８】
更に本考案の実施方式について説明する。本考案の設計は、鍼灸用ニードルをまずスリーブ内に置き、並びに鍼灸用ニードルのハンドル部の第１係止設計とスリーブの第２係止設計により鍼灸用ニードルをスリーブ内の適当な位置に係止する。施術時には、施術者はまず上述の鍼灸用ニードル装置を施術したいツボに移動し、並びにスリーブの下端を患者の皮膚に押し当てる。続いて、施術者は直接下向きに適当な圧力をハンドル部に加えて、鍼灸用ニードルを第１係止設計の係合より離脱させ、患者の皮膚に落下させ突き刺す。その後、施術者はスリーブを抜き取り、並びに鍼灸用ニードルを捻じって患者に対して鍼灸治療を行なう。
【００１９】
周知の技術の鍼灸用ニードル装置は、施術者が施術する時に両手を使用しなければ患者に対する鍼灸を行なえなかった。そのうち、施術者の一方の手はスリーブを保持し、それを施術するツボに固定し、もう一方の手はスリーブ上端の鍼灸用ニードルを固定するピンを抜き取るのに用いる必要があった。ゆえに施術者にとってはこのような設計は相当に不便であった。且つ、施術者が同時に両手を使わねばならないため、ピンを抜き取る時にスリーブを保持する手が移動してしまい、このために施術が不正確となることがあった。このため、周知の技術の鍼灸用ニードル装置は施術者が施術するのに相当に不便であり、更にこのために施術時の不正確性が高くなった。
【００２０】
反対に、周知の技術の鍼灸用ニードル装置と比較して、本考案は片手で操作できる鍼灸用ニードル装置を提供している。上述の設計により、使用者は片手でスリーブを保持してその滑動を防止でき、スリーブを保持する手と同一の手の指、例えば人指し指で、下向きに適当な圧力をスリーブの第１係止設計に加えて鍼灸用ニードルの摩擦力を克服すれば、鍼灸用ニードルを落下させることができる。言い換えると本考案の設計は、施術者が片手で患者に施術できる。こうして、施術過程に更に便利で、施術者が両手を同時に使うことにより発生しうる施術の不正確性の問題を防止するのに効果的なものとされている。
【００２１】
総合すると、本考案の鍼灸用ニードル装置は、少なくとも鍼灸用ニードル、及び、スリーブを具えている。該スリーブは内側に第１係止設計を具えている。該鍼灸用ニードルは少なくともボデー部とハンドル部を具えている。該鍼灸用ニードル装置は更に第２係止設計を具え、それは上述のハンドル部に設置されうる。上述の鍼灸用ニードルがスリーブ内に挿入される時、上述の第１係止設計と第２係止設計が係合し、これにより鍼灸用ニードルのスリーブからの脱落が防止され、鍼灸施術者が鍼灸用ニードル装置を取り扱うのに便利とされている。さらに好ましくは、本考案の設計によると、施術者は施術時に片手だけを使用して、上述のスリーブを施術するツボに固定し、並びに鍼灸用ニードルに適当な圧力を加えて鍼灸用ニードルに第１係止設計と第２係止設計の間の摩擦力を克服させて鍼灸用ニードルを落下させることができる。こうして、鍼灸の施術過程に便利とされているほか、施術過程中に両手を共に使用することにより発生しうる誤差の発生を防止できる。
【００２２】
以上の実施例は本考案の実施範囲を限定するものではなく、本考案に基づきなしうる細部の修飾或いは改変は、いずれも本考案の請求範囲に属するものとする。
【図面の簡単な説明】
【００２３】
【図１】周知の技術の鍼灸用ニードル装置の表示図である。
【図２】本考案の鍼灸用ニードル装置の分解図である。
【図３】本考案の鍼灸用ニードル装置の第１係止設計の表示図である。
【図４】本考案の鍼灸用ニードル装置の表示図である。
【図５】本考案の別の実施例の鍼灸用ニードル装置の表示図である。
【図６】本考案の更に別の実施例の鍼灸用ニードル装置の表示図である。
【符号の説明】
【００２４】
１２０  鍼灸用ニードル
１４０  スリーブ
１６０  ピン
２２０  鍼灸用ニードル
２２２  ボデー部
２２４  ハンドル部
２４０  スリーブ
２４２  第１係止設計
２６０  第２係止設計
２６２  凹溝
３２０  鍼灸用ニードル
３２２  ボデー部
３２４  ハンドル部
３４０  スリーブ
３４２  第１係止設計
３６０  第２係止設計
４２０  鍼灸用ニードル
４２２  ボデー部
４２４  ハンドル部
４２６  第２係止設計
４４０  スリーブ
４４２  第１係止設計
【図１】
0003104559.tif 000003
【図２】
0003104559.tif 000004
【図３】
0003104559.tif 000005
【図４】
0003104559.tif 000006
【図５】
0003104559.tif 000007
【図６】
0003104559.tif 000008